(57)【要約】【課題】  材料同士が互いに擦り合う場合、その減摩策として、従来は主に鉱物系の潤滑油が多用されているが、作業がしにくい，あるいは使用後の取り扱いにおいて、地球環境、人に対して優しくない、あるいは資源の枯渇などのいろいろな課題を抱えている。【解決手段】  材料同士が互いに擦り合う場合、その減摩策として、従来のように鉱物系油を使用するのではなくて、エチルアルコールもしくは焼酎、大豆レシチン、コーヒー液あるいは茶液といった植物性でしかも飲食を主目的とするものを効果的に組み合わせて作られた潤滑性能の優れた植物食材系潤滑剤を用いることにより、従来に比べて良好な環境で材料加工作業を行うことができ、良好な加工製品を作ることができる。しかも原料はすべて植物をベースとしていることから、地球環境改善そして資源的にも有効な改善手段になり得る。【特許請求の範囲】
【請求項１】
エチルアルコールもしくは焼酎、大豆レシチン、コーヒー液もしくは茶液を含む植物食材系潤滑剤。
【請求項２】
前記エチルアルコール含有量４質量％以上かつ７質量％以下の請求項１記載の植物食材系潤滑剤。
【請求項３】
前記焼酎のエチルアルコール含有量範囲が請求項２記載のエチルアルコール含有量範囲と同量相当を含む請求項１記載の植物食材系潤滑剤。
【請求項４】
前記焼酎のアルコール度数３６以下の請求項１または３記載の植物食材系潤滑剤。
【請求項５】
前記焼酎のアルコール度数２０で、含有量２０質量％以上かつ３５質量％以下の請求項１、３または４記載の植物食材系潤滑剤。
【請求項６】
前記焼酎のアルコール度数２５で、含有量１６質量％以上かつ２８質量％以下の請求項１，３または４記載の植物食材系潤滑剤。
【請求項７】
前記焼酎のアルコール度数３５で、含有量１２質量％以上かつ２０質量％以下の請求項１、３または４記載の植物食材系潤滑剤。
【請求項８】
前記大豆レシチン含有量１０質量％以上かつ２４質量％以下の請求項１から７記載の植物食材系潤滑剤。
【請求項９】
前記コーヒー液もしくは茶液含有量４質量％以上かつ２０質量％以下の請求項１から８記載の植物食材系潤滑剤。
【発明の詳細な説明】
【技術分野】
【０００１】  金属あるいは非金属材料の加工時には、擦り合う材料同志の摩擦軽減の為に、従来鉱物系潤滑油が多用されている。しかし鉱物系物質多用による地球環境悪化、機械部品等の製造作業現場の環境悪化そして資源枯渇等の観点から、潤滑剤の分野においても、環境に優しい潤滑剤の開発が強く望まれている。
本発明は、従来の鉱物系潤滑油に代わる環境に優しい植物食材系潤滑剤に関するものである。植物から作られたエチルアルコールもしくは焼酎、植物性の界面活性剤大豆レシチン、嗜好飲料であるコーヒー液あるいは茶液を含む、植物性のしかも飲食を主目的とした品を効果的に組み合わせて作られた環境に優しい植物食材系潤滑剤に関するものである。
【背景技術】
【０００２】  金属材料の加工作業時など材料同士が互いに擦り合うような場合、従来、主に鉱物系の潤滑油が多用されている。しかし地球環境悪化、とりわけ機械部品等の製造作業現場での人にも優しくなく、また資源枯渇等の問題もある。
従来の植物性潤滑剤、例えば、特開平１０−１８０３９１号、２００８−２３１４２２号あるいは２０１０−１６８５１９等があるが、これらは、例えば、材料の前工程からの残留鉱物系油を予め取り除いておかないと、材料への潤滑剤塗布が難しい等、あるいは特開２０１６−１９６６１８では、潤滑剤成分に飲食品以外を含む為に環境に対するイメージを損なう等、現状の作業現場にすぐに受け入れ難い点等があり、現実的に実用上の問題も多い。
【発明の開示】
【発明が解決しようとする課題】
【０００３】  これから実用化されようとする潤滑剤は、地球環境に優しく、製造作業現場で働く人に優しく、そして従来工程への適用をも容易であることが望ましい。
【課題を解決するための手段】
【０００４】  本発明者は、上記問題点を解決すべく種々検討した結果、材料同士が互いに擦り合う際に、従来の鉱物系潤滑油に代わって、植物から作られたエチルアルコールもしくは焼酎、大豆レシチン、嗜好飲料であるコーヒー液あるいは茶液を含む液を撹拌、溶解して作られた植物性の、いわゆる植物食材系潤滑剤を用いることによって、優れた潤滑性能による良好な材料加工性を有することを見出して、本発明を完成させた。
本発明は、植物性の飲食品を効果的に組み合わせて作られた環境に優しい液状の植物食材系潤滑剤に関するものである。【０００５】  本発明潤滑剤は、植物から作られたエチルアルコールもしくは焼酎、植物性の大豆レシチン、そしてコーヒー液もしくは茶液すなわち茶葉もしくは麦、米粒等から得られた、日本茶、紅茶、麦茶、玄米茶等の茶液、そして残り水を含んだ液状の植物食材系潤滑剤である。優れた防腐性、潤滑性能、そして塗布前工程からの材料表面に従来の鉱物系油が付着残留していても、そのまま塗布できるという特典を有している。さらに潤滑剤使用後の材料表面からの付着潤滑剤除去も容易にし、潤滑剤を取り扱い易くしたものである。本発明潤滑剤は液状で常温で使用されるものである。
本発明潤滑剤の液成分系は、エチルアルコールもしくは焼酎、大豆レシチン、コーヒー液もしくは茶液そして残り水を含む成分系から成り立っている。【０００６】  エチルアルコールは、通常一般的に用いられているもので、植物性発酵エタノールである。焼酎についても、サトウキビ、米、麦、芋、トウモロコシ系等を原料とする一般的焼酎であり、含まれるエチルアルコール含有量によって、例えばアルコール度数２０、２５あるいは３５等がある。レシチンも植物性の大豆レシチンで一般的なもので通常は茶褐色を呈した粘液状のものである。コーヒー液もコーヒー豆から得られたコーヒー液、茶液も、茶葉から得られた日本茶、紅茶等そして麦、玄米粒から得られた麦茶、玄米茶等の液で一般的に用いられ、液として市販もされている。いずれも原料は植物である。
このように、本発明潤滑剤の原料は、植物性の、しかも飲食品であるので、人に対して優しく、地球環境改善、かつ植物は育成すれば得ることのできる半永久的資源であることから、本発明潤滑剤は、環境、資源の両面からの対策になり得るものである。
なお、本発明潤滑剤は、焼酎、コーヒー液等の飲料を使用しているが、飲用ではない。【０００７】  本発明潤滑剤の各成分およびその含有量範囲は、次のようになっている。含有量範囲の％表示は、すべて質量％である。またエチルアルコールの純度および焼酎でのアルコール度数表示は一般的に容量％表示になっているが、本発明では、容量％と質量％とを同じとして扱っている。
エチルアルコール含有量は４％以上かつ７％以下である。この場合のエチルアルコール含有量は、使用するエチルアルコール液の純度を考慮して使用する。
またエチルアルコールの代わりに焼酎を用いる場合には、焼酎のエチルアルコール含有量範囲がこのエチルアルコール含有量範囲と同量相当になる様にする。例えば、エチルアルコール含有量４％〜７％にする場合、使用する焼酎の使用量すなわち含有量範囲は、アルコール度数２０の場合２０％〜３５％、度数２５の場合１６％〜２８％、そして度数３５の場合１２％〜２０％である。なお使用焼酎のアルコール度数は３６以下とする。これら度数の異なる焼酎を複合化することもできるが、この場合は、度数の低いものから高いものへと加えることとし、焼酎複合化合計の含有量範囲は、度数の高いものの範囲内とし、またエチルアルコールと焼酎との複合化も可能であるが、この場合も複合化総合計範囲はエチルアルコール含有量範囲になる様にする。
植物性レシチンの大豆レシチンの含有量範囲は１０％以上かつ２４％以下である。【０００８】  コーヒー液および茶液の含有量範囲は、４％以上かつ２０％以下である。
コーヒー液は一般的飲用物で、例えば、焙煎されたコーヒー豆を挽いてつくられたコーヒー粉末とこれに注ぐお湯との質量割合を１対２０〜３０にして得られたいわゆるドリップコーヒー、あるいは焙煎コーヒー豆をお湯に入れ、豆とお湯との質量割合を１対２０〜３０にして保持した後、豆を取り除いて得られたコーヒー液等、またお茶、紅茶、麦茶そして玄米茶等の茶液についても一般的に行われている要領でつくられたものであり、茶葉、紅茶葉、麦茶粒もしくは玄米茶粒をお湯に入れ保持後茶葉もしくは茶粒を取り除いて得た茶液である。コーヒー液、茶液についての市販品もある。コーヒー液と茶液を混合してもよい。その時の複合化総合計の含有量範囲も４％以上かつ２０％以下である。【０００９】  これらの液を含む液を撹拌、溶解することによって得られた液状の植物食材系潤滑剤は、防腐性を保持し、液の均一性、良好な塗布性、優れた潤滑性能および使用後の材料表面からの付着潤滑剤除去も容易な機能を有する。【００１０】  本発明潤滑剤の製造方法は、次の通りである。
液体用容器に、エチルアルコールもしくは焼酎、粘液状の大豆レシチン、コーヒー液もしくは茶液、そして残り水を含む液を混合、撹拌する。撹拌後液はうすい黄色を帯びた乳白色を呈する。その後時間が経って、液上層部に浮遊物、下層部に沈殿物、あるいは容器壁に付着物が生じる場合がある。この場合は、そのまま潤滑剤として使用可能だが、これらを取り除くと液の取り扱いが容易になるので除去が望ましい。この製造方法においての液の撹拌による各成分の溶解具合の判断は、目視で行う。【００１１】  潤滑剤の塗布は、被加工板材等の表裏面、あるいは片面のいずれにも適用可能であり、かつ被加工材の製造前工程から来る、いわゆる鉱物系油等の表面付着があっても、これを予め脱脂せずして本潤滑剤を材料表面に塗布できることから、本潤滑剤は、鉱物系油を用いた従来の材料加工工程への適用をも容易で、従来工程に手間なく切り替えてゆくことが可能である。【００１２】  本発明の互いに擦り合う材料とは、鉄鋼系、ステンレス系、高合金系、チタン系、アルミ系、銅系等の金属あるいは非金属材料等のことであり、その形状については特定しない。
【発明を実施するための最良の形態】
【００１３】  本発明潤滑剤は、良好な防腐性、塗布性を有し、材料と材料とが互いに擦り合う際に、金型と金型の間にはさまれる被加工材の表裏面もしくは片面に塗布して使われるものであり、場合によっては金型側に塗布してもよく、使用箇所は特に限定しない。
【実施例１】
【００１４】  エチルアルコール３〜８％、粘液状の大豆レシチン８〜２６％、コーヒー液３〜２２％
【表１】
2018159046.tif 000002
を含み、残り水の液を、混合、撹拌、溶解させて作られた潤滑剤の液性状調査、すなわち液の防腐性、均一性、塗布性を調べ、また潤滑性能調査には材料の成形加工性能試験：エリクセン（Ｅｒ）試験を行った。加工材料には亜鉛メッキ鋼板（板厚０．８ｍｍ、受け取りままで、表面脱脂処理なし）を用いた。比較に従来の鉱物系油についても行った。その結果を表１に示す。【００１５】  潤滑剤として、エチルアルコール４〜７％、大豆レシチン１０〜２４％、コーヒー液４〜２０％を含み、残り水を含む液より作られた潤滑剤を使用することで、液の良好な防腐性、均一性、塗布性そして高いＥｒ値が得られ、加工後の材料の洗浄による付着潤滑剤の除去も容易で、加工材の仕上がりの表面もきれい等良好な成形加工性が得られる。【００１６】  各成分含有量上限も、エチルアルコールについては、７％以上すなわち８％では特性値も飽和してくるので、上限は７％である。同様に、大豆レシチンでは２４％、コーヒー液では２０％である。
【実施例２】
【００１７】  焼酎について、サトウキビ、麦、米、芋系およびホワイトリカー、そして大豆レシチン１９％、コーヒー液もしくは茶液を含む液について同様の試験を行った。なおこの場合のコーヒー液および茶液は市販品を使用した。その結果を表２に示す。
【表２】
2018159046.tif 000003
焼酎について、いずれの系においても良好な結果が得られている。
【実施例３】
【００１８】  エチルアルコール６％、大豆レシチン１９％をベースに、コーヒー液含有量を４〜２０％範囲内の１０％とした潤滑剤について、コーヒー液につき、▲１▼挽かれた焙煎コーヒー豆粉末対８０℃のお湯との質量割合を１対２０にして作られたドリップコーヒー液、▲２▼さらに１度使用したものをもう一回、すなわち豆粉末をお湯で２回使用したものの２番コーヒー液、▲３▼焙煎コーヒー豆と約８０℃のお湯との質量割合を１対２０にして、豆をお湯に入れ保持後豆を取り除いて得た褐色おびたコーヒー液、そして▲４▼市販品のブラックコーヒー液を使用した。茶液についても通常行われている茶葉あるいは粒にお湯を注いで得られた液▲５▼〜▲８▼を使用した。そして同様の試験を行った。その結果を表３に示す。
【表３】
2018159046.tif 000004
コーヒー液および茶液の含有量範囲４〜２０％内の１０％において、潤滑剤の防腐性、均一性、塗布性そして成形加工性において、いずれにおいても良好な結果が得られている。
【産業上の利用可能性】
【００１９】  本発明は、以上のように構成されているので、以下に記載されるような産業上の利用可能性を有する。すなわち、産業上における材料加工作業において、本発明潤滑剤の使用は、優れた潤滑性能による被加工材料間での摩擦軽減によって良好な加工材の作成に有効に働き、かつ容易な適用性から実用上での利点を有する。
本発明の液状の植物食材系潤滑剤は、主原料は、エチルアルコールあるいは焼酎、大豆レシチン、コーヒーあるいは茶類であり、いずれも植物から得られるものである。従来の鉱物系潤滑油から、人に優しく親しみやすい植物性食材系潤滑剤に切り替えることによって、悪化した現状の地球環境改善に貢献し、とりわけ現場作業環境改善にも直接的に有効に働くものである。また植物という育成すればできる半永久的資源をベースとしているので、本発明は、資源、環境の両面から有効である。